(57)【要約】【課題】常時・非常時にかかわらずＬＥＤランプを点灯させることができる非常用照明器具を提供する。【解決手段】商用電源からの交流電力をランプに供給する常時用電源回路と、蓄電池からの直流電力を交流電力に変換してランプに供給する非常時用電源回路とを備え、常時は常時用電源回路を使用して非常時は非常時用電源回路に切り替えてランプを点灯させる非常用照明器具において、ランプがＬＥＤランプである場合においても蓄電池からの電力を用いてＬＥＤランプを点灯させることができるようにＬＥＤランプ点灯用回路を備えたことで解決した。【選択図】図１
2011253686.tif 000002
【特許請求の範囲】
【請求項１】
商用電源からの交流電力をランプに供給する常時用電源回路と、蓄電池からの直流電力を交流電力に変換してランプに供給する非常時用電源回路とを備え、常時は常時用電源回路を使用して非常時は非常時用電源回路に切り替えてランプを点灯させる非常用照明器具において、
前記ランプを交流対応型のＬＥＤランプとすると共に、非常時用電源回路を構成するＡＣ／ＤＣインバーターの後にＬＥＤランプ点灯用回路を設けたことを特徴とする非常用照明器具の点灯回路。
【請求項２】
前記ＬＥＤランプ点灯回路がローパスフィルタであることを特徴とする、請求項1に記載の非常用照明器具の点灯回路。
【発明の詳細な説明】
【技術分野】
【０００１】
本発明は、既存の非常灯、誘導灯などの非常用照明器具の蛍光ランプを交流対応型のＬＥＤランプに代える際に用いて好適な非常用照明器具の点灯回路に関するものである。
【背景技術】
【０００２】
現在普及している非常灯や誘導灯は、常時は商用電源からの電力を用いて蛍光ランプを点灯させ、停電など非常時には蓄電池を電源に使用してＡＣ／ＤＣインバーターを用いて直流を交流に変換させて蛍光ランプを点灯させるものが一般的である。しかしながら、近年、地球温暖化防止に関する意識の高まりから、蛍光ランプに代えて消費電力の少ない交流対応型のＬＥＤランプを用いることが普及しつつある。
【０００３】
この意識の高まりは、非常用照明器具にも及び、従来の蛍光ランプに代えて交流対応型のＬＥＤランプを使用する動きが出てきている。この種の交流対応型のＬＥＤランプは既に市販されており、最初から整流回路を内蔵しているので、蛍光ランプをＬＥＤランプに代えるだけでＬＥＤランプの点灯が可能である。
【０００４】
しかるに、停電時などの非常時には蓄電池などの直流電源をＡＣ／ＤＣインバーターを用いて交流電源に変換させて交流対応型のＬＥＤランプに印加しても、当該ＬＥＤランプは点灯しない場合がある。これは、ＡＣ／ＤＣインバーターを用いて変換させた交流の波形が矩形波となることから、蛍光ランプであると負荷抵抗があるので点灯は可能であるが、交流対応型のＬＥＤランプの場合にはこの矩形波に含まれる高周波ノイズによって、ＬＥＤランプ内部のスイッチング制御に影響を与え点灯しなくなるものと思われる。
【発明の概要】
【発明が解決しようとする課題】
【０００５】
本発明が解決しようとする課題は、常時・非常時にかかわらず交流対応型のＬＥＤランプを点灯させることができる非常用照明器具の点灯回路を提供することにある。
【課題を解決するための手段】
【０００６】
上記課題を解決するために、本発明は、商用電源からの交流電力をランプに供給する常時用電源回路と、蓄電池からの直流電力を交流電力に変換してランプに供給する非常時用電源回路とを備え、常時は常時用電源回路を使用して非常時は非常時用電源回路に切り替えてランプを点灯させる非常用照明器具において、前記ランプを交流対応型のＬＥＤランプとし、前記非常時用電源回路を構成するＡＣ／ＤＣインバーターの後にＬＥＤランプ点灯用回路を設けたことを特徴とする。
その際に、本発明は、前記ＬＥＤランプ点灯用回路をローパスフィルタで構成するものである。
【発明の効果】
【０００７】
本発明の非常用照明器具によれば、ＡＣ／ＤＣインバーターの後に設けたＬＥＤランプ点灯用回路により、蓄電池から変換した交流電源の波形を正弦波に近くして、停電などの非常時においてもＬＥＤランプを点灯させることができるものである。
【図面の簡単な説明】
【０００８】
【図１】本発明の非常用照明器具の実施形態を例示するブロック図である。
【発明を実施するための形態】
【０００９】
以下、本発明の実施形態につき添付図面を参照して説明する。
図１に示すように、この実施形態の非常用照明器具１は、商用電源２からの電力により点灯するものとして市販されている交流対応型のＬＥＤランプ３と、このＬＥＤランプ３を点灯させる非常灯ユニット４と、ＬＥＤランプ３が挿着されるソケット５と、安定器６と、グロースタータ７と、消灯スイッチ８、蓄電池９とを備えている。ソケット５には、ＬＥＤランプ３が挿着されている。ＬＥＤランプ３は、また、電源から供給される交流電力を直流電力に変換してＬＥＤランプに供給する整流回路１０を内蔵している。
【００１０】
非常灯ユニット４は、商用電源２からの交流電力をＬＥＤランプ３に供給する常時用電源回路１１と、蓄電池９からの直流電力を交流電力に変換してＬＥＤランプ３に供給する非常時用電源回路１２とを備えており、常時は常時用電源回路１１を使用してＬＥＤランプ３を点灯させ、非常時は非常時用電源回路１２に切り替えてＬＥＤランプ３を点灯させる。非常時用電源回路１２は、蓄電池９からの電力を用いてＬＥＤランプ３を点灯させるためのＡＣ／ＤＣインバーター１２Ａと、蓄電池９からの電力を用いてＬＥＤランプ３を点灯させるための、例えばローパスフィルタから成るＬＥＤランプ点灯用回路１２Ｂとを備えている。
【００１１】
したがって、この非常用照明器具１は、常時は商用電源２からの交流電力を常時用電源回路１１を介してＬＥＤランプ３に供給する。ＬＥＤランプ３として蛍光ランプを使用している場合、グロースタータ７が作動することにより点灯が開始され、常時用電源回路１１から供給される交流電力によって点灯状態が維持される。ランプとしてＬＥＤランプ３を使用している場合、グロースタータ７は作動せず、商用電源２から常時用電源回路１１を介して供給される交流電力をＬＥＤランプ３内の整流回路１０で直流電力に変換してＬＥＤランプ３内のＬＥＤ３ａに供給することにより点灯が行われる。
【００１２】
非常時においては、蓄電池９からの直流電力が非常時用電源回路１２で交流電力に変換されてＬＥＤランプ３に供給される。ＬＥＤランプ３として蛍光ランプを使用している場合、非常時用電源回路１２内の蛍光ランプ点灯用回路１２Ａが作動することにより当該蛍光ランプの点灯状態が維持される。ランプとしてＬＥＤランプ３を使用している場合、非常時用電源回路１２内のＬＥＤランプ点灯用回路１２Ｂが作動することによりＬＥＤランプ３の点灯状態が維持される。
【００１３】
このように、この非常用照明器具１によれば、通常の蛍光ランプを点灯させる非常時用電源回路１２にＬＥＤランプ点灯用回路１２Ｂを備えたことにより、ランプとしてＬＥＤランプ３を用いた場合においても、常時・非常時にかかわらずＬＥＤランプ３を点灯させることができるものである。
【産業上の利用可能性】
【００１４】
以上説明したように、本発明によれば、とくに既存の蛍光ランプを用いた非常用照明器具において、蛍光ランプをＬＥＤランプに代えた際に好適に用いられる点灯回路となるものである。
【符号の説明】
【００１５】
１  非常用照明器具
２  商用電源
３  ＬＥＤランプ
４  非常灯ユニット
９  蓄電池
１０  整流回路
１１  常時用電源回路
１２  非常時用電源回路
１２Ａ  蛍光ランプ点灯用回路（ＡＣ／ＤＣインバーター）
１２Ｂ  ＬＥＤランプ点灯用回路（ローパスフィルタ）
【図１】
2011253686.tif 000003